(57)【要約】【課題】　マイナスイオンを利用して効果的な肌のケアが行え、しかもスチームにマイナスイオンを効率良く帯電させて一層効果的な肌ケアが行える肌ケア装置を提供する。【解決手段】　顔などの肌表面の手入れを行う肌ケア装置である。これにおいて、スチーム発生装置とマイナスイオン発生装置をハウジング５７内に具備する。スチーム発生装置によって発生したスチームを肌表面に放出するスチームノズル５１と、マイナスイオン発生装置によって発生したマイナスイオンを放出するイオンノズル５３とを並設してハウジング５７の外面に突設すると共にスチームノズル５１の上方位置にイオンノズル５３を配設する。【選択図】　　図１
2004024897.tif 000002
【特許請求の範囲】
【請求項１】
　　顔などの肌表面の手入れを行う肌ケア装置において、スチーム発生装置とマイナスイオン発生装置をハウジング内に具備し、スチーム発生装置によって発生したスチームを肌表面に放出するスチームノズルと、マイナスイオン発生装置によって発生したマイナスイオンを放出するイオンノズルとを並設してハウジングの外面に突設すると共にスチームノズルの上方位置にイオンノズルを配設したことを特徴とする肌ケア装置。
【請求項２】
　　顔などの肌表面の手入れを行う肌ケア装置において、スチーム発生装置とマイナスイオン発生装置をハウジング内に具備し、スチーム発生装置によって発生したスチームを肌表面に放出するスチームノズルと、マイナスイオン発生装置によって発生したマイナスイオンを放出するイオンノズルとを並設してハウジングの外面に突設すると共にイオンノズルのイオン放出口を、スチームノズルのスチーム放出口より放出方向手前側に配設したことを特徴とする肌ケア装置。
【発明の詳細な説明】
【技術分野】
【０００１】
　本発明は、肌ケア装置に関し、詳しくはマイナスイオンを肌表面に放出して肌の手入れ効果に加えて、肌のケア後の感触をより好ましくする技術に関するものである。
【背景技術】
【０００２】
　従来の肌ケア装置の一例としてのスチーム式美顔器Ａは例えば図９に示すように構成されている。これは水を貯水するボイラー１と、ボイラー１とシール性を持って接続され水を加熱気化させるヒータ２と、ボイラー１とシール性を持って着脱自在に被着される給水蓋３と、ボイラー１とシール性を持って接続されるスチーム経路４と、スチーム経路４の下流側にシール性を持って接続されるスチーム放出用のスチームノズル５を備え、制御回路６にはヒータ２と、スチームのオン／オフの切り替えスイッチ７と、スチーム経路４に設置したスチームを微細化するための高圧放電装置８と、電源供給用の電源コード９が接続されている。そしてスチーム式美顔器Ａを使用しているときはヒータ２で気化されたスチームがスチーム経路４を通り、高圧放電装置８で微細化され、スチームノズル５から微細化されたスチームが噴出され、スチームが肌に当って肌のケアがされるようになっている。
【発明の開示】
【発明が解決しようとする課題】
【０００３】
　ところが、上記従来例の肌ケア装置にあっては、マイナスイオンを併用して肌ケアをするようにしたものでない。このためにマイナスイオンを肌に付着させて保湿性を向上させたりできなくて肌ケアが十分なものでなかった。
【０００４】
　本発明は叙述の点に鑑みてなされたものであって、マイナスイオンを利用して効果的な肌のケアが行え、しかもスチームにマイナスイオンを効率良く帯電させて一層効果的な肌ケアが行える肌ケア装置を提供することを課題とするものである。
【課題を解決するための手段】
【０００５】
　上記課題を解決するための本発明の請求項１の肌ケア装置は、顔などの肌表面の手入れを行う肌ケア装置において、スチーム発生装置とマイナスイオン発生装置をハウジング内に具備し、スチーム発生装置によって発生したスチームを肌表面に放出するスチームノズルと、マイナスイオン発生装置によって発生したマイナスイオンを放出するイオンノズルとを並設してハウジングの外面に突設すると共にスチームノズルの上方位置にイオンノズルを配設したことを特徴とする
　また本発明の請求項２の肌ケア装置は、顔などの肌表面の手入れを行う肌ケア装置において、スチーム発生装置とマイナスイオン発生装置をハウジング内に具備し、スチーム発生装置によって発生したスチームを肌表面に放出するスチームノズルと、マイナスイオン発生装置によって発生したマイナスイオンを放出するイオンノズルとを並設してハウジングの外面に突設すると共にイオンノズルのイオン放出口を、スチームノズルのスチーム放出口より放出方向手前側に配設したことを特徴とする。
【０００６】
　上記のように構成したことにより、肌のケアをするとき、マイナスイオン発生装置によって発生するマイナスイオンが肌に付着することによって、肌の保湿性が向上し、しっとり、サラサラ、さっぱり、つるつるとした肌表面の感触が得られる。このような感触が当該肌ケア装置のスチームの放出による肌表面の手入れ効果に加えて得られるので、肌ケア後の感触がより好ましくなる。またスチームをマイナスイオンによってマイナス帯電させることで、肌へのスチーム付着性が向上すると共に、スチームの熱で顔などにおける該当部位の肌表面の血行を促進させ、肌を活性化させて、水分を効率よく肌表面に接触保持させることができる。またスチームとマイナスイオンの放出方向を一致させることでスチームにマイナスイオンを効率よく帯電させることができる。
【０００７】
　またマイナスイオンを放出するイオンノズルからの電界分布と軽いスチームは上方に向かう性質により、スチームノズルより上方にイオンノズルを設置することでスチームにマイナスイオンを効率よく帯電させることができる。
【０００８】
　また湿度の影響を受けるマイナスイオンは、高湿度ではその発生量が減少してしまうためイオンノズルのイオン放出口を、スチームノズルのスチーム放出口より放出方向手前側に配設し、直接スチームに接触しないようにすることでマイナスイオン発生量の低下がなく安定して放出させることができるようになり、スチームにマイナスイオンを効率よく帯電させることが可能となる。
【発明の効果】
【０００９】
　本発明は、肌のケアをするとき、マイナスイオン発生装置によって発生するマイナスイオンが肌に付着することによって、肌の保湿性が向上し、しっとり、サラサラ、さっぱり、つるつるとした肌表面の感触が得られるものである。このような感触が当該肌ケア装置のスチーム、空気の放出による肌表面の手入れ効果に加えて得られるので、肌ケア後の感触がより好ましくなるものである。さらにスチームをマイナスイオンによってマイナス帯電させることで、肌へのスチーム付着性が向上すると共に、スチームの熱で顔などにおける該当部位の肌表面の血行を促進させ、肌を活性化させて、水分を効率よく肌表面に接触保持させることができるものである。さらにまたスチームとマイナスイオンの放出方向を一致させることでスチームにマイナスイオンを効率よく帯電させることができるものである。
【００１０】
　しかも本発明の請求項１の発明では、スチームノズルの上方位置にイオンノズルを配設したことでスチームにマイナスイオンを一層効率よく帯電させることができるものである。
【００１１】
　また本発明の請求項２の発明では、イオンノズルのイオン放出口を、スチームノズルのスチーム放出口より放出方向手前側に配設してイオンノズルのイオン放出口に直接スチームが接触しないようにすることでマイナスイオン発生量の低下がなく安定して放出させることができるようになり、スチームにマイナスイオンを効率よく帯電させることが可能となるものである。
【発明を実施するための最良の形態】
【００１２】
　本発明の肌ケア装置ではマイナスイオンを発生させてこのマイナスイオンを肌や髪に放出するものであるが、このマイナスイオンを発生するマイナスイオン発生装置の機構は次のようになっている。
【００１３】
　図２はコロナ放電を利用した放電式マイナスイオン発生機構の簡略図を示す。グランドに接続した対向板３４（例えば、ＳＵＳ３０４）を設け、これに対し高圧を維持する針状イオン電極３５をマイナスイオンの発生量が最大となる距離ｘとして設置したものである。より多くのマイナスイオンを発生させるには対向板３４は実験上半円筒形状が好ましい結果を得たが、必ずしも半円筒形状としなくてもよい。
【００１４】
　図３に自冷放射を利用したマイナスイオン発生機構の概略を示す。これは本体３６に放射物質３７（トルマリン）を設置したものである。このとき、図３（ｂ）のように本体３６に放射物質３８をコーティングしてもよい。
【００１５】
　図４に静電噴霧を利用したマイナスイオン発生機構の概略図を示す。貯水部３９と水位方向に延出した送水管４０を備え、グランドまたは人体に対して高圧を維持するように送水管４０に高電圧を印加している。そしてモータ４１に接続したスクリュー４２によって送水管４０の水を端部４３まで常時押し上げ、端部４３から送水管４０に印加した高電圧によってマイナスイオン帯電した霧状の微細水滴を噴霧させるようになっている。このとき、送水管４０内の送水スピードは微細水滴の発生が維持できるように調整する。このときモータ４１等を使用せず、毛細管現象を利用して送水管４０内の水を押し上げてもよい。
【００１６】
　図５に水破砕式マイナスイオン発生機構の概略図を示す。貯水部４４内の水に接触または浸水した拡散プロペラ４５をモータ４６に接続して高速回転させ、水分子が破砕することで得られるマイナスイオンをイオン放出口４７から放出させるようになっている。拡散プロペラ４１の回転速度はマイナスイオンを多く発生維持できるように調整する。
【００１７】
　図６は他の水破砕式マイナスイオン発生機構の概略図を示す。貯水部４８の水を複数のポンプ４９で吸い込み、高圧放水させて放水同士を衝突破砕させることでマイナスイオンを放出口５０から放出させるようになっている。放水同士を衝突させることで大きな破砕力を得ることができるが、放水を壁面に衝突させる破砕方式としてもよい。
【００１８】
　本発明の肌ケア装置は上記マイナスイオン発生装置で発生したマイナスイオンを放出するようにしたものであり、図１にスチームとマイナスイオンを肌に面に向けて放出するように構成したスチーム式美顔器を示す。卓上等に設置されるハウジング５７内にはスチーム発生装置等を内装してある。スチーム発生装置としてのボイラー１には水を貯水しており、この水をヒータ２で加熱気化させることによりスチームを発生するようになっている。ボイラー１には給水蓋３が着脱自在に被着されている。スチーム発生装置で発生したスチームはスチーム経路４を通ってスチームノズル５１に供給され、スチームノズル５１から放出されるようになっている。制御回路６にはヒータ２と、切り替えスイッチ５８と、スチーム経路４に設置したスチームを微細化するための高圧放電装置８と電源供給用の電源コード９が接続されている。制御回路６はスチーム発生装置、スチームの発生状態や温度などを制御する機能も有している。
【００１９】
　スチームを放出するスチームノズル５１をハウジング５７外面に突設してあり、マイナスイオンを放出するイオンノズル５３をスチームノズル５１に並設してある。スチームノズル５１と一体に形成されたイオン放出口５２を備えており、イオン放出口５２にイオンノズル５３を接続してある。イオンノズル５３に内蔵されたイオン電極５４に接続される高圧リード線５５はイオン発生回路５６に接続され、イオン発生回路５６は制御回路６に接続されている。イオン電極５４、イオン発生回路５６等で構成されるマイナスイオン発生装置で発生したマイナスイオンはイオンノズル５３を介してイオン放出口５２から放出されるようになっている。ここでイオン放出口５２はスチームノズル５１のスチーム放出口５９より上方位置に位置し且つ放出方向手前側になるように配設してある。スチームノズル５１をスチーム経路４に接続する継ぎ手６０は弾性体（例えばシリコンゴム）で形成してあり、継ぎ手６０を屈曲することで、スチームノズル５１やイオンノズル５３を有するノズル体６１の角度（突出方向）を調整自在にしてある。また制御回路６に接続された切り替えスイッチ５８はスチーム、微細スチーム、マイナスイオンそれぞれのオン／オフを行えるように構成されている。
【００２０】
　スチーム式美顔器を使用しているときはヒータ２で気化されたスチームがスチーム経路４を通り、必要に応じて高圧放電装置８で微細化され、スチームノズル５１、スチーム放出口５９を介してスチームが噴出され、スチームが肌に当って肌のケアがされるようになっている。そしてマイナスイオン発生装置によって発生したマイナスイオンがイオンノズル５３を介してイオン放出口５２から放出される。このように肌のケアをするとき、マイナスイオン発生装置によって発生するマイナスイオンが肌に付着することによって、肌の保湿性が向上し、しっとり、サラサラ、さっぱり、つるつるとした肌表面の感触が得られる。このような感触が当該スチーム式美顔器のスチームの放出による肌表面の手入れ効果に加えて得られるので、肌ケア後の感触がより好ましくなる。またスチームとマイナスイオンを放出するようにしたことで、スチームをマイナスイオンによってマイナス帯電させることで、肌へのスチーム付着性が向上すると共に、スチームの熱で顔などにおける該当部位の肌表面の血行を促進させ、肌を活性化させて、水分を効率よく肌表面に接触保持させることができる。また上記のようにスチームを放出するスチームノズル５１と、イオンノズル５３とを並設すると、スチームとマイナスイオンの放出方向を一致させることでスチームにマイナスイオンを効率よく帯電させることができる。
【００２１】
　またスチームノズル５１とイオンノズル５３とを一体に形成すると共に、両ノズル５１，５３のハウジング５７からの突出方向を調整自在にしてあるため、手入れ部位の位置に適合させて、スチームやマイナスイオンの放出方向を合わせることができるために使い勝手が向上する。またスチームノズル５１の上方位置にイオンノズル５３を配設してあるが、マイナスイオンを放出するイオンノズル５３からの電界分布と軽いスチームは上方に向かう性質により、スチームノズル５１より上方にイオンノズル５３を設置することでスチームにマイナスイオンを効率よく帯電させることができる。また、イオンノズル５３のイオン放出口５２を、スチームノズル５１のスチーム放出口５９より放出方向手前側に配設しているため次のように好ましい。湿度の影響を受けるマイナスイオンは、高湿度ではその発生量が減少してしまうためイオンノズル５３のイオン放出口５２を、スチームノズル５１のスチーム放出口５９より放出方向手前側に配設し、直接スチームに接触しないようにすることでマイナスイオン発生量の低下がなく安定して放出させることができるようになり、スチームにマイナスイオンを効率よく帯電させることが可能となる。また放電によってスチームを微細化する高圧放電装置８を具備したので、高圧放電でスチームを微細化してマイナスイオンを帯電させることにより、マイナスイオン帯電微粒化スチームは肌により浸透吸収されやすくなる。またスチームは微粒化しているためスチーム粒子の熱容量が小さく肌に接触してもベトベト感等の不快感をなくすことができる。
【００２２】
　図７は肌ケア装置の他の例を示し、マイナスイオン放出部と荷電端子部を備えたスチーム式美顔器である。これは基本的には図１の例と同じであるために同じ部分に同じ符号を付し、詳しい説明は省略する。図１に示す構成に加えて本体内部に制御回路に接続した荷電回路１０６を設置してあり、荷電回路１０６から荷電リード線１０７を延出させ、本体外殻パネル１０８に荷電リード線１０７の芯線をアルミニウムテープ等で電気的に接続してある。本体外殻パネル１０８は帯電防止機能を設けることが好ましく、例えば帯電防止剤入りの樹脂成形品で構成してある。
【００２３】
　スチーム式美顔器を使用しているときはヒータ２で気化されたスチームがスチーム経路４を通り、必要に応じて高圧放電装置８で微細化され、スチームノズル５１、スチーム放出口５９を介してスチームが噴出され、スチームが肌に当って肌のケアがされるようになっている。そしてマイナスイオン発生装置によって発生したマイナスイオンがイオンノズル５３を介してイオン放出口５２から放出される。スチーム式美顔器使用中に本体外殻パネル１０８を手等で触ることで肌をプラス電位側に保持することができる。このようにして人体をプラスに帯電することで肌のマイナスイオン帯電飽和がなくなり、常に多量のマイナスイオンがプラスに帯電した肌に引き寄せられるのでマイナスイオンが肌により付着しやすくなる。
【００２４】
　図８は肌ケア装置の他の例を示し、マイナスイオン放出部と引き出し自在な荷電端子部を備えたスチーム式美顔器を示す。これは基本的には図１の例と同じであるために同じ部分に同じ符号を付し、詳しい説明は省略する。図１の構成に加えて、本体内部に制御回路６に接続した荷電回路１０６を設置してあり、荷電回路１０６から延出させた荷電リード線１０７とコード長調整機構１１２内の配線コード１１３とを接続してある。配線コード１１３の端部には配線コード１１３を完全にモールド固定した荷電端子部１１４を装着してある。荷電端子部１１４は帯電防止機能を設けることが好ましく、例えば帯電防止剤入りの成形品で構成してある。
【００２５】
　スチーム式美顔器を使用しているときはヒータ２で気化されたスチームがスチーム経路４を通り、必要に応じて高圧放電装置８で微細化され、スチームノズル５１、スチーム放出口５９を介してスチームが噴出され、スチームが肌に当って肌のケアがされるようになっている。そしてマイナスイオン発生装置によって発生したマイナスイオンがイオンノズル５３を介してイオン放出口５２から放出される。スチーム式美顔器使用中に荷電端子部１１４を触れながら使用することで肌をプラス電位側に保持することができる。このようにして人体をプラスに帯電することで肌のマイナスイオン帯電飽和がなくなり、常に多量のマイナスイオンがプラスに帯電した肌に引き寄せられるのでマイナスイオンが肌により付着しやすくなる。またスチーム式美顔器使用中は、この荷電端子部１１４を引き出し、本体から離れた位置で荷電端子部１１４に触れながら使用することで肌をプラス電位側に安全に保持することができる。
【００２６】
　なお、上記肌ケア装置において、マイナスイオン発生装置として図２乃至図６の構造のものを適宜採用してもよい。
【図面の簡単な説明】
【００２７】
【図１】本発明の肌ケア装置の一例の断面図である。
【図２】マイナスイオン発生装置の構造の一例を示し、（ａ）は概略原理図、（ｂ）は要部拡大図である。
【図３】（ａ）（ｂ）はマイナスイオン発生装置の構造の他例を示す断面図である。
【図４】マイナスイオン発生装置の構造の他例を示す原理図である。
【図５】マイナスイオン発生装置の構造の他例を示す原理図である。
【図６】マイナスイオン発生装置の構造の他例を示す原理図である。
【図７】本発明の肌ケア装置の他例の断面図である。
【図８】本発明の肌ケア装置の他例の一部省略断面図である。
【図９】従来例のスチーム式美顔器の断面図である。
【符号の説明】
【００２８】
５１　スチームノズル
５２　イオン放出口
５３　イオンノズル
５７　ハウジング
５９　スチーム放出口
【図１】
2004024897.tif 000003
【図２】
2004024897.tif 000004
【図３】
2004024897.tif 000005
【図４】
2004024897.tif 000006
【図５】
2004024897.tif 000007
【図６】
2004024897.tif 000008
【図７】
2004024897.tif 000009
【図８】
2004024897.tif 000010
【図９】
2004024897.tif 000011